(57)【要約】【課題】  ユーザが煩雑な作業をしなくても、統一性のあるフォーマットで複数の文書を結合できる画像処理装置、画像処理方法及び画像処理プログラムを提供する。【解決手段】  操作部１０または通信部２０等を介して文書データが入力され、ユーザが操作部１０から文書データの結合を指示すると、切分部１４が分類項目に従い入力された文書データ毎に文書領域に切り分け、抽出部１６が、上記文書領域を、分類項目が共通する共通文書領域毎に抽出し、属性決定部１８が、抽出された共通文書領域の属性から、結合後の文書における各分類項目毎に使用する属性を決定する。次に、結合部２２は、複数の文書データを結合し、一つの文書とする処理を行う。このとき、使用するフォント等の属性は、上記属性決定部１８が決定した属性を使用する。【選択図】        図１
2006350959.tif 000002
【特許請求の範囲】
【請求項１】
複数の文書を結合して一つの文書とする画像処理装置であって、
結合される各文書毎に、当該文書を所定の分類項目に基づき文書領域に切り分ける切分手段と、
前記切分手段が切り分けた文書領域を、前記分類項目が共通する共通文書領域毎に抽出する抽出手段と、
前記抽出された共通文書領域の属性から、結合後の文書の前記各分類項目毎に使用する属性を決定する属性決定手段と、
を備えることを特徴とする画像処理装置。
【請求項２】
請求項１記載の画像処理装置において、前記属性には文字のフォント及び／または文字サイズが含まれることを特徴とする画像処理装置。
【請求項３】
請求項１または請求項２記載の画像処理装置において、前記分類項目には、タイトルと本文とが含まれることを特徴とする画像処理装置。
【請求項４】
複数の文書を結合して一つの文書とする画像処理方法であって、
結合される各文書毎に、当該文書を所定の分類項目に基づき文書領域に切り分けるステップと、
前記切り分けられた文書領域を、前記分類項目が共通する共通文書領域毎に抽出するステップと、
前記抽出された共通文書領域の属性から、結合後の文書の前記各分類項目毎に使用する属性を決定するステップと、
を備えることを特徴とする画像処理方法。
【請求項５】
複数の文書を結合して一つの文書とする画像処理装置の制御プログラムであって、
結合される各文書毎に、当該文書を所定の分類項目に基づき文書領域に切り分け、
前記切り分けられた文書領域を、前記分類項目が共通する共通文書領域毎に抽出し、
前記抽出された共通文書領域の属性から、結合後の文書の前記各分類項目毎に使用する属性を決定する処理を画像処理装置に実行させることを特徴とする制御プログラム。
【発明の詳細な説明】
【技術分野】
【０００１】
本発明は、複数の文書を結合して１つの文書とする画像処理装置、画像処理方法及び画像処理プログラムの改良に関する。
【背景技術】
【０００２】
近年、複数人により一つの文書を作成するという要請があり、各人が分担して作成した複数の文書をプリンタ側で１つの文書にまとめて出力することが行われている。このように、複数の文書を一つにまとめる際には、各文書間において文字フォント等の文書のフォーマットが統一されていないと、一つにまとめられて出力される文書が不自然なものとなる。この不自然さを回避するために、各文書をユーザが端末上で修正することにより、フォーマットの統一を図ることも可能であるが、作業が繁雑になるという問題がある。
【０００３】
そこで、下記特許文献１のように、入力画像から複数の文字領域を抽出し、その類似度により文字領域を分類する技術を使用すれば、上記修正作業の煩雑さを緩和することができる可能性がある。
【特許文献１】特開平８−２０２８１７号公報
【発明の開示】
【発明が解決しようとする課題】
【０００４】
しかし、上記従来の技術においては、一つの文書の中における文字領域の類似度を判断するものであり、複数の文書にまたがって処理を行うものではなく、複数の文書を結合して１つの文書とするための技術には適用できないという問題があった。
【０００５】
また、単に類似度を判断して分類するだけでは、複数の文書間におけるフォーマットの統一をユーザの手を介さずに行うことができず、修正作業の煩雑さの緩和を充分に達成できないという問題もあった。
【０００６】
本発明は、上記従来の課題に鑑みなされたものであり、その目的は、ユーザが煩雑な作業をしなくても、統一性のあるフォーマットで複数の文書を結合できる画像処理装置、画像処理方法及び画像処理プログラムを提供することにある。
【課題を解決するための手段】
【０００７】
上記目的を達成するために、本発明は、複数の文書を結合して一つの文書とする画像処理装置であって、結合される各文書毎に、当該文書を所定の分類項目に基づき文書領域に切り分ける切分手段と、前記切分手段が切り分けた文書領域を、前記分類項目が共通する共通文書領域毎に抽出する抽出手段と、前記抽出された共通文書領域の属性から、結合後の文書の前記各分類項目毎に使用する属性を決定する属性決定手段と、を備えることを特徴とする。
【０００８】
ここで、上記属性には文字のフォント及び／または文字サイズが含まれるのが好適である。また、上記分類項目には、タイトルと本文とが含まれるのが好適である。
【０００９】
また、本発明は、複数の文書を結合して一つの文書とする画像処理方法であって、結合される各文書毎に、当該文書を所定の分類項目に基づき文書領域に切り分けるステップと、前記切り分けられた文書領域を、前記分類項目が共通する共通文書領域毎に抽出するステップと、前記抽出された共通文書領域の属性から、結合後の文書の前記各分類項目毎に使用する属性を決定するステップと、を備えることを特徴とする。
【００１０】
また、本発明は、複数の文書を結合して一つの文書とする画像処理装置の制御プログラムであって、結合される各文書毎に、当該文書を所定の分類項目に基づき文書領域に切り分け、前記切り分けられた文書領域を、前記分類項目が共通する共通文書領域毎に抽出し、前記抽出された共通文書領域の属性から、結合後の文書の前記各分類項目毎に使用する属性を決定する処理を画像処理装置に実行させることを特徴とする。
【発明を実施するための最良の形態】
【００１１】
以下、本発明を実施するための最良の形態（以下、実施形態という）を、図面に従って説明する。
【００１２】
図１には、本発明にかかる画像処理装置の一実施形態の構成のブロック図が示される。図１において、画像処理装置は、操作部１０、表示部１２、切分部１４、抽出部１６、属性決定部１８、通信部２０、結合部２２及び記憶部２４を含んで構成されている。
【００１３】
操作部１０は、キーボード、マウス等のポインティングデバイス、タッチパネル等の入力装置を含み、ユーザが画像処理装置に各種データを入力するために使用する。
【００１４】
表示部１２は、例えば液晶ディスプレイ（ＬＣＤ）、発光ダイオード（ＬＥＤ）等で構成され、操作部１０または通信部２０等を介して入力され及び／または結合された文種データ等を表示する。
【００１５】
切分部１４は、操作部１０または通信部２０等を介して入力された文書データを所定の分類項目に基づき文書領域に切り分ける処理を実行する。
【００１６】
抽出部１６は、上記切分部１４が切り分けた文書領域を、分類項目が共通する共通文書領域毎に抽出する処理を実行する。共通文書領域については後述する。
【００１７】
属性決定部１８は、抽出部１６により抽出された共通文書領域の属性から、結合後の文書における各分類項目毎に使用する属性を決定する処理を実行する。ここで、属性には、文字のフォント、文字サイズ、行頭位置等の文書のフォーマットに関する情報が含まれる。なお、行の文字位置が中央に設定されている場合、一行の文字数が１文字〜数文字のように極端に少ない場合等には、当該文書領域が強調用等特殊なものであると判断し、属性決定部１８が属性決定処理を行わないように構成してもよい。
【００１８】
通信部２０は、公知の方法により通信ネットワーク等を介してサーバあるいは他の端末等と通信し、文書データその他のデータをやり取りする。
【００１９】
結合部２２は、入力された複数の文書データを結合する処理を実行する。
【００２０】
記憶部２４は、例えばＣＰＵの作業用のＲＡＭ、不揮発性メモリとしてのフラッシュメモリ、磁気記憶媒体等で構成されており、文書データ等のデータ及びプログラムが記憶される。
【００２１】
なお、上述した画像処理装置は、ＣＰＵを中心として構成されたコンピュータであってよく、この場合、ハードディスクその他の媒体に格納されたプログラムをＣＰＵが実行することで画像処理装置の各機能が実現される。
【００２２】
図２には、本実施形態にかかる画像処理装置において扱われる文書データの例が示される。図２において、文書データは、タイトル２６、本文２８、脚注３０等の文書領域により構成されている。上記本文２８には、複数の段落が含まれていてよく、各段落はインデントにより行頭位置が後退した行から始まるのが好適である。
【００２３】
操作部１０及び／または通信部２４を介して上記構成の文書データが入力されると、切分部１４が、所定の分類項目に基づき文書領域に切り分ける。ここで、分類項目には、タイトル、本文、脚注等が含まれる。また、切り分けられる文書領域は、上記文書に含まれるタイトル２６、本文２８、脚注３０等の文書の内容である。
【００２４】
切分部１４による文書領域の切り分けは、例えば当該文書領域に含まれる文字数、行数、フォント、文字サイズ、行頭位置、文字コード、文字の色、文字領域の大きさ等に基づいて、タイトル２６、本文２８、脚注３０等の文書領域のパターンを判別することにより行うことができる。この場合、行数が１で、文字サイズが他の文書領域より大きいときにはタイトル２６として切り分け、ページ内で文字数の最も多い部分は本文２８に切り分ける等の動作となる。なお、文書領域のパターンは、記憶部２４に予めテンプレートとして記憶させておくのが好適である。
【００２５】
図３には、記憶部２４に形成された記憶領域の一部の例が示される。図３に示された記憶領域には、結合して一つの文書にするための複数の文書データ毎に切分部１４が切り分けた文書領域が記憶されている。図３において、複数の文書データには、それぞれを識別するためのジョブＩＤが付与されており、各文書データ毎にタイトル、本文、脚注等の分類項目３２に従って切り分けられた文書領域が、それぞれ対応する分類項目３２毎に記憶されている。このように、各文書データに含まれる文書領域において、分類項目３２が共通する文書領域を共通文書領域とする。例えば、分類項目３２として「タイトル」に分類された各文書領域の全部が、「タイトル」という共通する分類項目３２に分類された共通文書領域となる。
【００２６】
上記抽出部１６は、切分部１４が切り分け、記憶部２４に記憶された文書領域から、分類項目３２が共通するものを共通文書領域として抽出する。
【００２７】
図４には、本実施形態にかかる画像処理装置の動作の例のフローが示される。図４において、操作部１０または通信部２０等を介して文書データが入力されると（Ｓ１）、文書データの内容が表示部１２に表示される。ここで、ユーザが操作部１０から文書データの結合を指示すると、切分部１４が、図３に示されるような分類項目３２に従い、入力された文書データ毎に文書領域に切り分ける（Ｓ２）。切り分けられた文書領域の各々は、図３に示される記憶部２４の記憶領域に記憶される（Ｓ３）。
【００２８】
次に、抽出部１６が、上記記憶部２４の記憶領域に記憶された文書領域を、分類項目が共通する共通文書領域毎に抽出する（Ｓ４）。この処理により、例えば分類項目３２である「タイトル」、「本文」、「脚注」毎に、各分類項目３２に含まれる文書領域の全部が共通文書領域として抽出される。
【００２９】
次に、属性決定部１８が、抽出部１６により抽出された共通文書領域の属性から、結合後の文書における各分類項目毎に使用する属性を決定する（Ｓ５）。例えば、「タイトル」の共通文書領域として抽出された文書領域が三つあり、そのうち二つでフォントに「明朝」が使用され、一つで「ゴシック」が使用されている場合には、共通文書領域の属性として「明朝」のフォントが採用される。この場合、結合後の文書における「タイトル」で使用されるフォントも「明朝」と決定される。また、他の属性も、同様にして決定される。なお、属性の統一を行う際には、ユーザにその旨の報知を行うように構成するのが好適である。
【００３０】
次に、結合部２２は、複数の文書データを結合し、一つの文書とする処理を行う。この際、入力されている各文書データは、タイトル２６、本文２８、脚注３０等のうち複数の文書領域を含むもの、いずれか一つの文書領域を含むもの等があるが、図３に示された各文書領域を、例えばタイトル、本文、脚注の順序になるように並べて一つの文書とする。このとき、使用するフォント等の属性は、上記属性決定部１８が決定した属性を使用する（Ｓ６）。なお、結合された文書データの内容は、表示部１２に表示される。
【００３１】
以上の各工程により、それぞれフォーマットが異なる複数の文書データを結合する場合に、ユーザがフォーマットの統一作業を行わなくても、結合後の文書のフォーマットを統一することができる。これにより、ユーザが煩雑な作業をしなくても、統一性のあるフォーマットで複数の文書を結合できる画像処理装置を実現することができる。
【図面の簡単な説明】
【００３２】
【図１】本発明にかかる画像処理装置の一実施形態の構成のブロック図である。
【図２】図１に示された画像処理装置において扱われる文書の例を示す図である。
【図３】図１に示された画像処理装置において、記憶部に形成された記憶領域の一部の例を示す図である。
【図４】図１に示された画像処理装置の動作の例のフロー図である。
【符号の説明】
【００３３】
１０  操作部、１２  表示部、１４  切分部、１６  抽出部、１８  属性決定部、２０  通信部、２２  結合部、２４  記憶部、２６  タイトル、２８  本文、３０  脚注、３２  分類項目。
【図１】
2006350959.tif 000003
【図２】
2006350959.tif 000004
【図３】
2006350959.tif 000005
【図４】
2006350959.tif 000006